(57)【要約】【課題】鍵盤蓋が閉鎖されているときの鍵盤楽器の上面全体を平坦にでき、それにより、すっきりとした良好な外観を得ることができる鍵盤楽器の鍵盤蓋装置を提供する。【解決手段】鍵盤３を含む演奏部４を有する楽器本体１の上部に設けられ、演奏部４を覆った状態に閉鎖するとともに露出した状態に開放する鍵盤楽器の鍵盤蓋装置５であって、楽器本体１の後部に水平な状態に不動に設けられた板状の奥屋根２１と、この奥屋根２１の前側に位置し、演奏部４を閉鎖した状態で奥屋根２１と上面が面一になる閉位置と、奥屋根２１の上側に位置し、演奏部４を開放する開位置との間で移動自在の鍵盤蓋２３と、この鍵盤蓋２３を、閉位置と開位置の間で回動可能な状態に、奥屋根２１に連結する蝶番２２と、を備え、蝶番２２は、鍵盤蓋２３が閉位置に位置するときの鍵盤蓋２３及び奥屋根２１の上面よりも下側に配置されている。【選択図】図１
2015068895.tif 000002
【特許請求の範囲】
【請求項１】
鍵盤を含む演奏部を有する楽器本体の上部に設けられ、前記演奏部を覆った状態に閉鎖するとともに露出した状態に開放する鍵盤楽器の鍵盤蓋装置であって、
前記楽器本体の後部に水平な状態に不動に設けられた板状の奥屋根と、
この奥屋根の前側に位置し、前記演奏部を閉鎖した状態で前記奥屋根と上面が面一になる閉位置と、前記奥屋根の上側に位置し、前記演奏部を開放する開位置との間で移動自在の鍵盤蓋と、
この鍵盤蓋を、前記閉位置と前記開位置の間で回動可能な状態に、前記奥屋根に連結する蝶番と、を備え、
前記蝶番は、前記鍵盤蓋が前記閉位置に位置するときの当該鍵盤蓋及び前記奥屋根の上面よりも下側に配置されていることを特徴とする鍵盤楽器の鍵盤蓋装置。
【請求項２】
前記蝶番は、
前記奥屋根の前端面及びこれに連なる下面に固定された奥屋根側固定板と、
前記鍵盤蓋の前記奥屋根側の端面及びこれに連なる下面に固定された鍵盤蓋側固定板と、
水平に延び、前記奥屋根側固定板及び前記鍵盤側固定板を互いに回動自在に連結する連結軸と、を有し、
前記鍵盤蓋の前記奥屋根側の端部には、当該鍵盤蓋の上面に連なりかつ前記奥屋根側に突出するように形成され、当該鍵盤蓋が前記閉位置に位置するときに、前記奥屋根側固定板及び前記鍵盤蓋側固定板の前記連結軸によって連結された部位の上方を覆う覆い部が設けられていることを特徴とする請求項１に記載の鍵盤楽器の鍵盤蓋装置。
【請求項３】
前記奥屋根の前端上部には、前記鍵盤蓋が前記開位置に回動するときに当該鍵盤蓋の前記覆い部との干渉を回避するように切り欠かれた逃げ部が設けられていることを特徴とする請求項２に記載の鍵盤楽器の鍵盤蓋装置。
【発明の詳細な説明】
【技術分野】
【０００１】
本発明は、電子ピアノなどの鍵盤楽器に適用され、鍵盤蓋が回動しながら、鍵盤を含む演奏部を開閉する鍵盤楽器の鍵盤蓋装置に関する。
【背景技術】
【０００２】
従来、この種の鍵盤楽器の鍵盤蓋装置として、例えば本出願人がすでに出願した特許文献１に記載されたものが知られている。この鍵盤蓋装置は、アップライトピアノなどに適用されるものであり、奥屋根と、その前端部に蝶番を介して回動自在に連結され、鍵盤を開閉する鍵盤蓋とを備えている。なお、この鍵盤蓋装置は、回転ダンパー、及びこれと鍵盤蓋を連結するリンク機構を備えており、これらにより、閉方向に回動する鍵盤蓋を制動するようになっている。
【０００３】
図３（ａ）は、上述した従来の鍵盤蓋装置を示している。同図に示すように、この鍵盤蓋装置４１では、奥屋根４２の前端面（同図の左端面）と、鍵盤蓋４３の後端面（同図の右端面）との間に、蝶番４４が挟まれた状態で取り付けられている。図３（ｂ）に示すように、この蝶番４４は、一端部（同図では上端部）に円筒状の連結筒４５ａ、４６ａが形成された奥屋根側固定板４５及び鍵盤蓋側固定板４６と、それらの連結筒に遊挿され、両固定板４５、４６を連結する連結軸４７とを有している。そして、この蝶番４４は、奥屋根側固定板４５が奥屋根４２の前端面４２ａにねじ４８によってねじ止めされるとともに、鍵盤側固定板４６が鍵盤蓋４３の後端面４３ａに、奥屋根４２側の上記ねじ４８よりも長いねじ（以下「長ねじ」という）４９によってねじ止めされている。
【０００４】
より具体的には、蝶番４４の鍵盤側固定板４６については、これを鍵盤蓋４３にしっかりと固定するために、上記の長ねじ４９と、ねじ孔５０ａを有する金属板５０とを用いている。すなわち、この金属板５０を鍵盤蓋４３の所定位置に埋設するとともに、鍵盤蓋４３に、その後端面４３ａから金属板５０まで延びる孔４３ｂを形成し、長ねじ４９を、鍵盤蓋４３の後端面４３ａ側から上記孔４３ｂを介して金属板５０のねじ孔５０ａにねじ込む。これにより、蝶番４４の鍵盤側固定板４６と金属板５０の間に鍵盤蓋４３を挟み付けた状態で締め付け、鍵盤蓋４３が、蝶番４４を介して、奥屋根４２にしっかりと連結される。そして、この鍵盤蓋４３は、前端部が持ち上げられることにより、図４に示すように、蝶番４４を中心に回動し、開放される。
【先行技術文献】
【特許文献】
【０００５】
【特許文献１】特開２００３−１７７７３８号公報
【発明の概要】
【発明が解決しようとする課題】
【０００６】
上記の鍵盤蓋装置では、鍵盤蓋４３を閉鎖すると、図３に示すように、鍵盤蓋４３の上面と、奥屋根４２の上面が水平で面一となる。しかしこの場合、鍵盤蓋４３と奥屋根４２の間から、蝶番４４の連結軸４７及びこれに連結された両固定板４５、４６の連結筒４５ａ、４６ａが上方に突出するため、見栄えが良いとは言えない。また、ピアノの利用者が、鍵盤蓋４３を閉鎖した状態で、その上において楽譜やノートなどを広げ、書き込みなどを行う際に、蝶番４４の上方に突出した部分が邪魔になることもある。
【０００７】
本発明は、以上のような課題を解決するためになされたものであり、鍵盤蓋が閉鎖されているときの鍵盤楽器の上面全体を平坦にでき、それにより、すっきりとした良好な外観を得ることができる鍵盤楽器の鍵盤蓋装置を提供することを目的とする。
【課題を解決するための手段】
【０００８】
上記の目的を達成するために、請求項１に係る発明は、鍵盤を含む演奏部を有する楽器本体の上部に設けられ、演奏部を覆った状態に閉鎖するとともに露出した状態に開放する鍵盤楽器の鍵盤蓋装置であって、楽器本体の後部に水平な状態に不動に設けられた板状の奥屋根と、この奥屋根の前側に位置し、演奏部を閉鎖した状態で奥屋根と上面が面一になる閉位置と、奥屋根の上側に位置し、演奏部を開放する開位置との間で移動自在の鍵盤蓋と、この鍵盤蓋を、閉位置と開位置の間で回動可能な状態に、奥屋根に連結する蝶番と、を備え、蝶番は、鍵盤蓋が閉位置に位置するときの鍵盤蓋及び奥屋根の上面よりも下側に配置されていることを特徴とする。
【０００９】
この構成によれば、鍵盤を含む演奏部を有する楽器本体の上部に鍵盤蓋装置が設けられている。この鍵盤蓋装置の奥屋根は、板状に形成され、楽器本体の後部に水平な状態に不動に設けられている。また、鍵盤蓋装置の鍵盤蓋は、蝶番を介して奥屋根に連結されており、上記の閉位置と開位置の間で回動しながら、演奏部を開閉する。上記の蝶番は、鍵盤蓋が閉位置に位置するときの鍵盤蓋及び奥屋根の上面よりも下側に配置されている。このため、鍵盤蓋が閉位置に位置するときには、従来と異なり、蝶番が鍵盤蓋及び奥屋根の上面から突出することがなく、鍵盤楽器の上面全体を平坦にすることができる。これにより、鍵盤蓋が閉鎖した状態の鍵盤蓋装置において、すっきりとした良好な外観を得ることができる。
【００１０】
請求項２に係る発明は、請求項１に記載の鍵盤楽器の鍵盤蓋装置において、蝶番は、奥屋根の前端面及びこれに連なる下面に固定された奥屋根側固定板と、鍵盤蓋の奥屋根側の端面及びこれに連なる下面に固定された鍵盤蓋側固定板と、水平に延び、奥屋根側固定板及び鍵盤側固定板を互いに回動自在に連結する連結軸と、を有し、鍵盤蓋の奥屋根側の端部には、鍵盤蓋の上面に連なりかつ奥屋根側に突出するように形成され、鍵盤蓋が閉位置に位置するときに、奥屋根側固定板及び鍵盤蓋側固定板の連結軸によって連結された部位の上方を覆う覆い部が設けられていることを特徴とする。
【００１１】
この構成によれば、蝶番の奥屋根側固定板が、奥屋根の前端面及びこれに連なる下面の２面に固定される一方、鍵盤蓋側固定板が、鍵盤蓋の奥屋根側の端面及びこれに連なる下面の２面に固定されるので、それらの固定板がそれぞれ単一の面に固定される場合に比べて、蝶番を奥屋根及び鍵盤蓋にしっかりと固定することがでる。また、鍵盤蓋の奥屋根側の端部には、上記覆い部が設けられているので、鍵盤蓋が閉位置に位置するときにおいて、鍵盤楽器の前方の利用者側から、蝶番を見えないようにすることができるとともに、鍵盤蓋と奥屋根の間の隙間を小さくでき、それにより、鍵盤蓋装置において、より一層良好な外観を得ることができる。
【００１２】
請求項３に係る発明は、請求項２に記載の鍵盤楽器の鍵盤蓋装置において、奥屋根の前端上部には、鍵盤蓋が開位置に回動するときに鍵盤蓋の覆い部との干渉を回避するように切り欠かれた逃げ部が設けられていることを特徴とする。
【００１３】
この構成によれば、奥屋根の前端上部に上記逃げ部が設けられているので、鍵盤蓋を開放する際に、鍵盤蓋の上記覆い部を奥屋根に干渉させることなく、鍵盤蓋を大きく開放することができる。
【図面の簡単な説明】
【００１４】
【図１】本発明の一実施形態による鍵盤蓋装置を適用した電子ピアノにおいて、演奏部が閉鎖されている状態を示す図であり、（ａ）はピアノ本体の外観及び内部を示す側面図、（ｂ）は鍵盤蓋装置の蝶番及びその周囲を拡大して示す図である。
【図２】図１の電子ピアノにおいて、演奏部が開放されている状態を示す図であり、（ａ）及び（ｂ）はそれぞれ、図１と同様の側面図及び図である。
【図３】従来の鍵盤蓋装置を示す図であり、（ａ）は側面図、（ｂ）は鍵盤蓋装置の蝶番及びその周囲を拡大して示す図である。
【図４】図３の鍵盤蓋装置において、鍵盤蓋を開放した状態を示す図である。
【発明を実施するための形態】
【００１５】
以下、図面を参照しながら、本発明の好ましい実施形態を詳細に説明する。図１は、本発明の一実施形態による鍵盤蓋装置を、電子ピアノに適用したピアノ本体を示している。同図（ａ）に示すように、このピアノ本体１（楽器本体）は、その外側の周囲を構成する外装ケース２と、この外装ケース２内に前寄り（図１（ａ）の左寄り）に設置された鍵盤３を含む演奏部４と、ピアノ本体１の上部に設けられ、演奏部４を覆った状態に閉鎖するとともに露出した状態に開放する鍵盤蓋装置５とを備えている。
【００１６】
外装ケース２は、平面形状が左右方向（図１（ａ）の表裏方向）に延びる横長矩形状の棚板１１と、この棚板１１の前端部及び後端部にそれぞれ立設された口棒１２及び背板１３と、棚板１１の左右方向の両端部にそれぞれ立設された左右の側板（図示せず）などによって構成されている。
【００１７】
演奏部４は、左右方向に並設された多数の白鍵３ａ及び黒鍵３ｂを有する鍵盤３と、この鍵盤３の後部上方に、前下がりに傾斜した状態に設けられ、演奏に関わる各種の機能を実行するための複数のスイッチやボタンなど（いずれも図示せず）を有する操作パネル６などによって構成されている。
【００１８】
鍵盤蓋装置５は、ピアノ本体１の後部に設けられた奥屋根２１と、この奥屋根２１の前端部に、蝶番２２を介して連結された鍵盤蓋２３とを備えている。奥屋根２１及び鍵盤蓋２３はいずれも、木質材から成り、所定の厚さを有する板材で構成されている。奥屋根２１は、平面形状が横長矩形状に形成され、左右の両側板及び背板１３の上面に、水平な状態に載置され、不動に固定されている。また、奥屋根２１の前端部は、その上半部が切り欠かれており、鍵盤蓋２３が開放されるときに、鍵盤蓋２３の後述する覆い部２３ａとの干渉を回避するための逃げ部２１ａが設けられている。
【００１９】
一方、鍵盤蓋２３は、奥屋根２１とほぼ同じ横幅寸法、及び奥屋根２１よりも大幅に長い奥行き寸法を有し、平面形状が横長矩形状に形成されている。この鍵盤蓋２３の下面前端部には、所定の高さ寸法を有する板状の前付け２４が蝶番２５を介して連結されている。また、鍵盤蓋２３の後端上部には、後方の奥屋根２１側に所定長さ突出し、蝶番２２の後述する連結軸３３及び連結筒３１ａ、３２ａの上方を覆う覆い部２３ａが設けられている。
【００２０】
蝶番２２は、奥屋根２１の前端部に固定される奥屋根側固定板３１と、鍵盤蓋２３の後端部に固定される鍵盤蓋側固定板３２と、これらの両固定板３１、３２を互いに回動自在に連結する連結軸３３などで構成されている。両固定板３１、３２はいずれも、所定の金属板から成り、左右方向に所定長さ延びるとともに、側面形状がＬ字状に形成されている。また、両固定板３１、３２の一端部にそれぞれ設けられた円筒状の連結筒３１ａ、３２ａに、連結軸３３が遊挿されている。そして、この蝶番２２の奥屋根側固定板３１は、奥屋根２１の前端面２１ｂ及びそれに連なる下面２１ｃに、ねじ３４、３４によってそれぞれねじ止めされている。一方、蝶番２２の鍵盤側固定板３２は、鍵盤蓋２３の後端面２３ｂ及びこれに連なる下面２３ｃに、ねじ３５、３５によってそれぞれねじ止めされている。なお、これらのねじ３４、３５は、両固定板３１、３２の長さ方向（図１の表裏方向）に沿って、適宜、間隔を隔てて、複数箇所にねじ込まれている。
【００２１】
なお、図示は省略するが、このピアノ本体１には、所定の回転ダンパー及びリンクを有する鍵盤蓋開閉機構が設けられており、その開閉機構により、鍵盤蓋２３が全開又は全閉位置に回動する直前に制動されるようになっている。
【００２２】
以上のように構成された鍵盤蓋装置５では、鍵盤蓋２３は、演奏部４を覆った状態に閉鎖する閉位置（図１に示す位置）と、演奏部４を露出した状態に開放する開位置（図２に示す位置）との間で、蝶番２２（連結軸３３）を中心として回動しながら開閉する。また、鍵盤蓋２３が閉位置に位置するときには、図１に示すように、鍵盤蓋２３及び奥屋根２１の上面が水平で面一になるとともに、鍵盤蓋２３の後端部の覆い部２３ａが、蝶番２２の連結軸３３及び連結筒３１ａ、３２ａの上方を覆った状態になる。一方、鍵盤蓋２３が開位置に位置するときには、図２に示すように、鍵盤蓋２３の後端部の覆い部２３ａは、奥屋根２１の前端上部に設けられた逃げ部２１ａに収容され、それにより、鍵盤蓋２３が奥屋根２１に干渉することはない。
【００２３】
以上詳述したように、本実施形態によれば、鍵盤蓋２３を奥屋根２１に連結する蝶番２２は、鍵盤蓋２３が閉位置に位置するときの鍵盤蓋２３及び奥屋根２１の上面よりも下側に配置されている。このため、鍵盤蓋２３が閉位置に位置するときには、従来と異なり、蝶番２３が鍵盤蓋２３及び奥屋根２１の上面から突出することがなく、電子ピアノの上面全体を平坦にすることができる。これにより、鍵盤蓋２３が閉鎖した状態の鍵盤蓋装置５において、すっきりとした良好な外観を得ることができる。
【００２４】
また、蝶番２２の奥屋根側固定板３１が、奥屋根２１の前端面２１ｂ及び下面２１ｃの２面に固定される一方、鍵盤蓋側固定板３２が、鍵盤蓋２３の後端面２３ｂ及び下面２３ｃの２面に固定されるので、それらの固定板３１、３２がそれぞれ単一の面に固定される場合に比べて、蝶番２２を奥屋根２１及び鍵盤蓋２３にしっかりと固定することがでる。また、鍵盤蓋２３の後端上部には、覆い部２３ａが設けられているので、鍵盤蓋２３が閉鎖した状態において、電子ピアノの前方の利用者側から、蝶番２２を見えないようにすることができるとともに、鍵盤蓋２３と奥屋根２１の間の隙間を小さくでき、それにより、鍵盤蓋装置５において、より一層良好な外観を得ることができる。
【００２５】
さらに、奥屋根２１の前端上部に逃げ部２１ａが設けられているので、鍵盤蓋２３を開放する際に、鍵盤蓋２３の覆い部２３ａを奥屋根２１に干渉させることなく、鍵盤蓋２３を大きく開放することができる。
【００２６】
なお、本発明は、説明した上記実施形態に限定されることなく、種々の態様で実施することができる。例えば、実施形態では、本発明の鍵盤蓋装置を電子ピアノに適用した場合について説明したが、本発明はこれに限定されるものではなく、電子オルガンはもちろん、アップライトピアノやグランドピアノにも適用することが可能である。また、実施形態で示した鍵盤蓋装置５の細部の構成などは、あくまで例示であり、本発明の趣旨の範囲内で適宜、変更することができる。
【符号の説明】
【００２７】
１    ピアノ本体（楽器本体）
３    鍵盤
４    演奏部
５    鍵盤蓋装置
２１    奥屋根
２１ａ  逃げ部
２１ｂ  奥屋根の前端面
２１ｃ  奥屋根の下面
２２    蝶番
２３    鍵盤蓋
２３ａ  覆い部
２３ｂ  鍵盤蓋の後端面
２３ｃ  鍵盤蓋の下面
３１    奥屋根側固定板
３１ａ  奥屋根側固定板の連結筒
３２    鍵盤蓋側固定板
３２ａ  鍵盤蓋側固定板の連結筒
３３    連結軸
３４    奥屋根側のねじ
３５    鍵盤蓋側のねじ
【図１】
2015068895.tif 000003
【図２】
2015068895.tif 000004
【図３】
2015068895.tif 000005
【図４】
2015068895.tif 000006